(57)【特許請求の範囲】
【請求項１】
浴槽に、入浴者の足の内くるぶし下に水流を噴出して内くるぶし下の水流マッサージを行うための内くるぶし下用噴出ノズルと、入浴者の下肢の脹脛に水流を噴出して脹脛の水流マッサージを行うための脹脛用噴出ノズルとを備えたものであって、浴槽の底面部の足先配置部の端部付近の左右方向の中間部分、又は、浴槽の足先配置部側の側壁部の左右方向の中間部分に、Ｔ字状に分岐して左右方向に開口した、又は、Ｖ字状に分岐して左右斜め方向に開口した２つの噴出口を有する分岐ノズルにより上記内くるぶし下用噴射ノズルを構成して成ることを特徴とする水流噴出装置。
【請求項２】
内くるぶし下用噴出ノズルからの水流の噴出方向及び脹脛用噴出ノズルからの水流の噴出方向を可変自在として成ることを特徴とする請求項１記載の水流噴出装置。
【請求項３】
脹脛用噴出ノズルを、両下肢の各脹脛にそれぞれ水流を分流して噴出するための２個の噴出口を設けた分岐ノズルにより構成して成ることを特徴とする請求項１又は請求項２記載の水流噴出装置。
【請求項４】
内くるぶし下用噴出ノズル及び脹脛用噴出ノズルから噴出する水量が、少ない水量から次第に多くなり、噴出する水量が最大水量に達すると次第に水量が減っていき、最小水量又は噴出停止に至った後に再び水量が次第に多くなるという動作を繰り返すように制御されるものであって、内くるぶし下用噴出ノズル乃至脹脛用噴出ノズルの一方からの噴出される水量が最大水量を経て次第に減り始める際に、他方から噴出を開始して次第に水量が増えていくように制御されることを特徴とする請求項１乃至請求項３のいずれかに記載の水流噴出装置。
【発明の詳細な説明】
【技術分野】
【０００１】
本発明は、入浴しながら水流により身体のマッサージができる水流噴出装置に関するものである。
【背景技術】
【０００２】
従来から浴槽に水流（浴水又は気泡入り浴水）を噴出して浴槽に入浴している人に衝突させてマッサージすることが行われている。このような従来例として例えば特許文献１が知られている。
【０００３】
この特許文献１に示された従来例にあっては、浴槽に、入浴者の足裏に水流を噴出して足裏の水流マッサージを行うための足裏用噴出ノズルと、入浴者の下肢の脹脛に水流を噴出して脹脛の水流マッサージを行うための脹脛用噴出ノズルとを備えたものである。
【０００４】
このものは、足裏及び脹脛をマッサージするものであるが、足裏及び脹脛の水流マッサージでは足の疲れ解消やむくみ低減等に対しては真に十分な効果は得られなかった。
【０００５】
そこで、本発明者の研究の結果、足の疲れやむくみに対しては内くるぶし下にある「照海」というツボ、脹脛にある「承山」、「三陰交」というツボをマッサージすることが効果的であることが判明したが、従来にあっては、内くるぶし下に水流を噴出して水流マッサージするものはなかった。
【０００６】
また、上記特許文献１に示された従来例においては、足裏用噴出ノズルからの水流の噴出方向、脹脛用噴出ノズルからの水流の噴出方向が一定であり、入浴者の入浴姿勢、体型等に適用できず、目的とする部位に正確に水流を当てるのが難しく、この点でも効果的な水流マッサージができなかった。
【０００７】
更に、従来は足裏用噴出ノズル、脹脛用噴出ノズルから噴出する水流の流速が一定で、しかも、足裏用噴出ノズル、脹脛用噴出ノズルから同時に水流を噴出して足裏、脹脛に当てるので、一つの部位のマッサージから他の部位のマッサージが連続して行われるというような異なる部位の連続したマッサージ感が得られず、また、マッサージ師がマッサージしたような揉み上げ感が得られないという問題があった。
【０００８】
また、従来にあってはノズルには１つの噴出口しか設けてなく、両足の各足裏、両下肢の各脹脛を水流マッサージするにはそれぞれ足裏用噴出ノズルが２つ、脹脛用噴出ノズルが２つ必要であり、浴槽に設けるノズルの数が多くなりすぎるという問題があった。
【特許文献１】特開２０００−１２６０５７号公報
【発明の開示】
【発明が解決しようとする課題】
【０００９】
本発明は上記の点に鑑みなされたものであって、その目的とするところは、浴槽に入って入浴する入浴者の両足の内くるぶし下にある「照海」というツボと、両下肢の脹脛にある「承山」、「三陰交」というツボとを水流マッサージできて、入浴しながら効果的に足の疲れ解消やむくみ低減等を図ることができ、また、入浴者の入浴姿勢、体型等に応じて内くるぶし下、脹脛の最適の箇所に水流を噴出するように調整でき、また、水流によるマッサージの連続感が得られ、また、マッサージ師がマッサージしたような揉み上げ感が得られ、更に少ない噴出ノズルで効果的な水流マッサージができる水流噴出装置を提供することにある。
【課題を解決するための手段】
【００１０】
上記課題を解決するために本発明の水流噴出装置は、浴槽１に、入浴者Ｍの足の内くるぶし下に水流を噴出して内くるぶし下の水流マッサージを行うための内くるぶし下用噴出ノズル２と、入浴者Ｍの下肢の脹脛に水流を噴出して脹脛の水流マッサージを行うための脹脛用噴出ノズル３とを備えたものであって、浴槽１の底面部の足先配置部６の端部付近の左右方向の中間部分、又は、浴槽１の足先配置部側６の側壁部８ｂの左右方向の中間部分に、Ｔ字状に分岐して左右方向に開口した、又は、Ｖ字状に分岐して左右斜め方向に開口した２つの噴出口４を有する分岐ノズル５により上記内くるぶし下用噴射ノズル２を構成して成ることを特徴とするものである。
【００１１】
このような構成とすることで、入浴しながら、内くるぶし下用噴出ノズル２から噴出する水流で足の内くるぶし下に水流を噴出して足の内くるぶし下にある「照海」というツボを水流マッサージでき、また、脹脛用噴出ノズル３から噴出する水流で下肢の脹脛に水流を噴出して脹脛にある「承山」、「三陰交」というツボを水流マッサージでき、このように、足の疲れ及びむくみ低減のツボである足の内くるぶし下にある「照海」というツボ及び脹脛にある「承山」、「三陰交」というツボを確実に水流マッサージして、足の疲れ解消及びむくみ低減を効果的に図ることができる。特に、浴槽１の底面部の足先配置部６の端部付近の左右方向の中間部分、又は、浴槽１の足先配置部側６の側壁部８ｂの左右方向の中間部分に、Ｔ字状に分岐して左右方向に開口した、又は、Ｖ字状に分岐して左右斜め方向に開口した２つの噴出口４を有する分岐ノズル５により上記内くるぶし下用噴射ノズル２を構成したので、浴槽１の底面部の足先配置部６の端部付近の左右方向の中間部分、又は、浴槽１の足先配置部側６の側壁部８ｂの左右方向の中間部分に一つの分岐ノズル５を設けるだけで、一つの分岐ノズル５に設けた２個の噴出口４からそれぞれ水を左右方向又は左右斜め方向に噴出して両足の内くるぶし下の「照海」というツボに水流を当てることができ、これにより入浴姿勢で両足の内面間の距離が大きくなるように両足間を不自然に開かなくても両足の内くるぶし下の「照海」というツボを効果的に水流マッサージでき、また、上記のように両足の各内くるぶし下を水流マッサージするための内くるぶし下用噴出ノズル２が一つでよいため、部材点数が少なくなる。
【００１２】
また、内くるぶし下用噴出ノズル２からの水流の噴出方向及び脹脛用噴出ノズル３からの水流の噴出方向を可変自在とすることが好ましい。
【００１３】
このような構成とすることで、入浴者の入浴姿勢や入浴者の体型等に応じて、内くるぶし下用噴出ノズル２からの水流の噴出方向及び脹脛用噴出ノズル３からの水流の噴出方向を変えて、目的とする部位（つまり、内くるぶし下の「照海」というツボ位置、脹脛の「承山」、「三陰交」というツボ位置）に正確に水流を当てることができ、よりいっそう効果的に水流マッサージにより足の疲れ解消及びむくみ低減を効果的に図ることができる。
【００１６】
また、脹脛用噴出ノズル３を、両下肢の各脹脛にそれぞれ水流を分流して噴出するための２個の噴出口４を設けた分岐ノズル５により構成することが好ましい。
【００１７】
このような構成とすることで、一つの分岐ノズル５に設けた２個の噴出口４から噴出する水流によりそれぞれ両下肢の各脹脛を効果的に水流マッサージでき、このように両下肢の各脹脛を水流マッサージするための脹脛用噴出ノズル３が一つでよいため、部材点数が少なくなる。
【００１８】
また、内くるぶし下用噴出ノズル２及び脹脛用噴出ノズル３から噴出する水量が、少ない水量から次第に多くなり、噴出する水量が最大水量に達すると次第に水量が減っていき、最小水量又は噴出停止に至った後に再び水量が次第に多くなるという動作を繰り返すように制御されるものであって、内くるぶし下用噴出ノズル２乃至脹脛用噴出ノズル３の一方からの噴出される水量が最大水量を経て次第に減り始める際に、他方から噴出を開始して次第に水量が増えていくように制御されるものであることが好ましい。
【００１９】
上記のように、内くるぶし下用噴出ノズル２及び脹脛用噴出ノズル３から噴出する水量が、少ない水量から次第に多くなり、噴出する水量が最大水量に達すると次第に水量が減っていき、最小水量又は噴出停止に至った後に再び水量が次第に多くなるという動作を繰り返すように制御されるものであるから、内くるぶし下の「照海」というツボ位置、脹脛の「承山」、「三陰交」というツボ位置がそれぞれ、マッサージ師が手で揉み上げるような揉み上げ感を水流マッサージにより得られ、しかも、内くるぶし下用噴出ノズル２乃至脹脛用噴出ノズル３の一方からの噴出される水量が最大水量を経て次第に減り始める際に、他方から噴出を開始して次第に水量が増えていくように制御されので、内くるぶし下の水流マッサージの揉み上げの周期（水流の噴出の強弱の一サイクル）と、脹脛の水流マッサージの揉み上げの周期（水流の噴出の強弱の一サイクル）とが、周期をずらしながら交互に連続して行われ、マッサージの連続感が得られ、足の内くるぶし下にある「照海」というツボと脹脛にある「承山」、「三陰交」というツボをより効果的に連続的に水流マッサージして、足の疲れ解消及びむくみ低減を効果的に図ることができる。
【発明の効果】
【００２０】
本発明にあっては、浴槽に入って入浴している人の足の内くるぶし下にある「照海」というツボを水流マッサージするとともに、入浴者の下肢の脹脛にある「承山」、「三陰交」というツボを水流マッサージして、足の疲れ解消及びむくみ低減を効果的に図ることができる。
【発明を実施するための最良の形態】
【００２１】
以下、本発明を添付図面に示す実施形態に基づいて説明する。
【００２２】
図１乃至図３には本発明の各実施形態が示してある。この図１乃至図３示すように、浴槽１は一端部側が入浴者Ｍの足先側が位置する足先配置部６となり、他端部側が入浴者Ｍの頭部側が位置する頭部配置部７となっており、ここで、本発明においては、上記足先配置部６側を後、頭部配置部７側を前と定義し、足先配置部６と頭部配置部７とを結ぶ方向を前後方向（Ｘ方向）と定義している。また、平面視において、足先配置部６と頭部配置部７とを結ぶ方向である前後方向と直交する方向を左右方向（Ｙ方向）と定義しており、浴槽１が平面視略長方形状、あるいは平面視略楕円形状をしたものにおいては、浴槽１の長辺と平行な方向が前後方向であり、短辺と平行な方向が左右方向である。
【００２３】
入浴者Ｍが、浴槽１内の一端部側である足先配置部６側に足先側を位置させ且つ他端部側である頭部配置部７側に頭部側を位置させるという一般的な浴槽１への入浴姿勢を取って入浴した場合、図１乃至図３に示すように、入浴者Ｍの臀部を浴槽１の底面部９の前側端部（頭部配置部７側の端部）寄りの部分に置いて背中を頭部配置部７側（前側）の側壁部８ａに当接又は僅かな隙間をあけて対向させて沿わせると共に、下肢を緩やかにく字状に曲げて足先を足先配置部６側（後側）の側壁部８ｂの下部又は底面部９の足先配置部６側の端部付近に位置させるという入浴姿勢となるものである。この場合、両碗を身体の両側に自然に沿わせると、両碗は身体の胴部分の両側から両下肢の大腿部に沿って配置される姿勢となる。
【００２４】
ここで頭部配置部７側（前側）の側壁部８ａは、入浴者Ｍが上記のような一般的な入浴姿勢を取って、入浴者Ｍの臀部を浴槽１の底面部９の前側端部（頭部配置部７側の端部）寄りの部分に置いた場合、背中を沿わせることができるように他の側壁部に比べて緩やかに傾斜している。
【００２５】
上記のような一般的な入浴姿勢で入浴した場合、底面部９は前側の端部寄りの部位が臀部置き部１０となり、底面部９の後側端部と上記臀部置き部１０との間の部分の上方が入浴者の下肢が位置する下肢配置部１１となっている。
【００２６】
浴槽１には入浴者Ｍの足の内くるぶし下に水流を噴出して内くるぶし下の水流マッサージを行うための内くるぶし下用噴出ノズル２と、入浴者Ｍの下肢の脹脛に水流を噴出して脹脛の水流マッサージを行うための脹脛用噴出ノズル３とが設けてある。内くるぶし下用噴出ノズル２は図１、図３に示すように浴槽１の底面部９の足先配置部６側の端部付近に設けたり、あるいは図２に示すように足先配置部６側の側壁部８ｂの下部に設けられるものである。また、脹脛用噴出ノズル３は図１、図３に示すように浴槽１の底面部９の足先配置部６側の端部付近に設けたり、あるいは図２に示すように左右の側壁部８ｂの足先載置部６側の下部に設けられるものである。
【００２７】
また、浴槽１の側壁部８には浴槽１内の浴水を吸い込むための吸い込み口１２が設けてあり、該吸い込み口１２と、内くるぶし下用噴出ノズル２及び上記脹脛用噴出ノズル３とが循環用水路１３により連通接続してある。該循環用水路１３の途中にはポンプ１４が設けてあり、ポンプ１４を駆動することで浴槽１内の浴水を吸い込んで内くるぶし下用噴出ノズル２の噴出口４及び上記脹脛用噴出ノズル３の噴出口４にそれぞれ供給して、噴出口４から浴槽１内に噴出するようになっている。
【００２８】
図中１６は上記ポンプ１４及び後述の電動弁１５のモータ２８の駆動を制御するための制御部である。
【００２９】
ここで、図１乃至図３に示すように循環用水路１３にエジェクター作用により先端が空気取り入れ口１７となった空気供給管１９から空気を吸い込んで浴水に混入して噴出口４から気泡入り浴水を噴出するようにしてもよい。
【００３０】
内くるぶし下用噴出ノズル２は、両足の各内くるぶし下にそれぞれ水流を分流して噴出するための２個の噴出口４を設けた分岐ノズル５を浴槽１に１個設けることで構成してある。
【００３１】
分岐ノズル５は図４（ａ）、図４（ｂ）に示すように二方向に噴出する２個の噴出口４を設けたもので、循環用水路１３の端部に装着される本体部２０内の受け部２１にノズル体２２の端部のボール部２３を水密的に回転自在に嵌め込んであり、ノズル体２２の先端部が図４（ａ）のようにＴ字状に分岐していて左右方向に水平に開口した噴出口４を形成したもの（左右の噴出口４の噴出方向が略一直線上に位置している）、あるいは、図４（ｂ）のように、ノズル体２２の先端部がＶ字状に分岐していてそれぞれ左右斜め方向に開口した噴出口４を形成したものである。ノズル体２２は図４の矢印Ａ、Ｂ方向に回転自在である。
【００３２】
このように、内くるぶし下用噴出ノズル２として分岐ノズル５を用いて図１、図３のように浴槽１の底面部９の足先配置部６側の端部付近の左右方向の中間部分に１つの分岐ノズル５を設けたり、あるいは、図２のように浴槽１の足先配置部６側の側壁部８ｂの下部の左右方向の中間部分に１つの分岐ノズル５を設けて、両足の間に位置する１つの分岐ノズル５よりなる内くるぶし下用噴出ノズル２に設けた２個の２個の噴出口４からそれぞれ水を噴出して両足の内くるぶし下の部位に水流を当てることで、両足の内くるぶし下の「照海」というツボに効果的に水流を当てて水流マッサージを行うことができる。
【００３３】
ここで、両足の内くるぶし下の部位の「照海」というツボ位置は両足の内面に存在するため、両足の間に内くるぶし下用噴出ノズル２が位置する必要があるが、この部分に両足の内くるぶし下の部位に水流を当てるように噴出するために２個の内くるぶし下用噴出ノズル２を配置すると、入浴姿勢で両足の内面間の距離が大きくなるように両足間を不自然に開かなければならない。このため、本実施形態では、上記のように、内くるぶし下用噴出ノズル２を分岐ノズル５で構成して、この内くるぶし下用噴出ノズル２を１つ用いるだけで、分岐ノズル５に設けた２個の噴出口４からそれぞれ水を噴出して両足の内くるぶし下の部位に水流を当てることができ、これにより入浴姿勢で両足の内面間の距離が大きくなるように両足間を不自然に開かなくても両足の内くるぶし下を効果的に水流マッサージできる。また、部品点数を少なくできる。
【００３４】
脹脛用噴出ノズル３は、脹脛用噴出ノズル３に設けた噴出口４から水流を両下肢の脹脛に向けて噴出して脹脛にある「承山」、「三陰交」というツボを水流マッサージするためのものである。この両下肢の各脹脛にそれぞれ水流を噴出するための脹脛用噴出ノズル３としては、図４（ｃ）に示すような１個の噴出口４を設けた一方向噴出用ノズル２４を２個浴槽１に設けることで構成したり、あるいは、図４（ａ）、（ｂ）のような分岐ノズル５を浴槽１に１個設ける（この場合、上記内くるぶし下用噴出ノズル２として用いる分岐ノズル５とは別の分岐ノズル５を設ける）ことで構成する。なお、図４（ｃ）示す一方向噴出用ノズル２４は、ノズル体２２に噴出口４を１個設けることが前述の図４（ａ）、（ｂ）に示す２個の噴出口４を有する分岐ノズル５と異なるのみで他の構成は分岐ノズル５と同じである。
【００３５】
ここで、図１の実施形態では、浴槽１の底面部９の足先配置部６側の端部付近の左右方向の中間部分に図４（ａ）又は（ｂ）に示すような分岐ノズル５を配置して内くるぶし下用噴出ノズル２とし、また、浴槽１の底面部９の足先配置部６側の端部付近（上記分岐ノズル５の配置部分よりも前方側に少しずれた位置）の左右に図４（ｃ）に示すような一方向噴出用ノズル２４を配置して脹脛用噴出ノズル３とした例である。
【００３６】
また、図２の実施形態では浴槽１の足先配置部６側の側壁部８ｂの下部の左右方向の中間部分に図４（ａ）又は（ｂ）に示すような分岐ノズル５を配置して内くるぶし下用噴出ノズル２とし、また、浴槽１の底面部９の足先配置部６側の端部付近（上記分岐ノズル５の配置部分よりも前方側に少しずれた位置）の左右に図４（ｃ）に示すような一方向噴出用ノズル２４を配置して脹脛用噴出ノズル３とした例である。
【００３７】
また、図３の実施形態では浴槽１の底面部９の足先配置部６側の端部付近の左右方向の中間部分に図４（ａ）又は（ｂ）に示すような分岐ノズル５を配置して内くるぶし下用噴出ノズル２とし、また、浴槽１の底面部９の足先配置部６側の端部付近（上記分岐ノズル５の配置部分よりも前方側に少しずれた位置）の左右方向の略中間部分に図４（ａ）又は（ｂ）に示すような分岐ノズル５を１つ配置して脹脛用噴出ノズル３とした例である。
【００３８】
上記のように内くるぶし下用噴出ノズル２を構成する分岐ノズル５を何処に設けるか、あるいは図４（ａ）又は（ｂ）に示すいずれの分岐ノズル５を内くるぶし下用噴出ノズル２として用いるか、あるいは、脹脛用噴出ノズル３として図４（ｃ）に示す一方向噴出用ノズル２４を２個用いるか、あるいは脹脛用噴出ノズル３として図４（ａ）又は（ｂ）に示す分岐ノズル５を１個用いるか、あるいは、脹脛用噴出ノズル３を何処に配置するか等は浴槽１の形状に応じて任意に設定する。
【００３９】
上記のように内くるぶし下用噴出ノズル２と、脹脛用噴出ノズル３を浴槽１に設けることで、入浴しながら、内くるぶし下用噴出ノズル２から噴出する水流で足の内くるぶし下に水流を噴出して足の内くるぶし下にある「照海」というツボ（図７（ａ）に「照海」のツボ位置を示す）を水流マッサージでき、また、脹脛用噴出ノズル３から噴出する水流で下肢の脹脛に水流を噴出して脹脛にある「承山」、「三陰交」というツボ（図７（ａ）に「承山」、「三陰交」のツボ位置を示す）を水流マッサージでき、足の疲れ及びむくみ低減のツボである足の内くるぶし下にある「照海」というツボ及び脹脛にある「承山」、「三陰交」というツボを確実に水流マッサージして、足の疲れ解消及びむくみ低減を効果的に図ることができることになる。
【００４０】
ここで、内くるぶし下用噴出ノズル２、脹脛用噴出ノズル３はいずれもノズル体２２を回転することで噴出口４からの水流の噴出方向を可変できるので、入浴者の入浴姿勢や入浴者の体型等に応じて、内くるぶし下用噴出ノズル２からの水流の噴出方向及び脹脛用噴出ノズル３からの水流の噴出方向を変えて、目的とする部位（つまり、内くるぶし下の「照海」というツボ位置、脹脛の「承山」、「三陰交」というツボ位置）に正確に水流を当てることができ、よりいっそう効果的に水流マッサージにより足の疲れ解消及びむくみ低減を効果的に図ることができる。
【００４１】
また、図１乃至図３に示す各実施形態では循環用水路１３の途中に電動弁１５を設けているが、この電動弁１５は図５に示すように弁本体２５と、弁本体２５の孔２６に回動自在に嵌め込まれた回動弁体２７と、回動弁体２７を回動するためのモータ２８とより構成してある。
【００４２】
回動弁体２７には一端が軸方向の端部に開口した通水孔２９が設けてあり、通水孔２９の他端は回動弁体２７の側面部に設けた弁口３０に連通している。弁本体２５の孔２６の壁面における弁口３０の回動軌跡上の複数箇所にそれぞれ対応する位置に２個の流出口３１（第１の流出口３１ａ、第２の流出口３１ｂ）を設けてある。
【００４３】
弁本体２５には回動弁体２７の通水孔２９の軸方向の一端の開口に常時連通する流入孔３２が設けてあり、この流入孔３２は循環用水路１３の一部を構成する配管３３ａによりポンプ１４と連通接続してある。また、循環用水路１３の弁本体２５とノズル体２２との間の部分は複数の分岐配管３３ｂ、３３ｃにより構成してあり、実施形態では第１の流出口３１ａと内くるぶし下用噴出ノズル２とが分岐配管３３ｂにより連通接続してあり、第２の流出口３１ｂと脹脛用噴出ノズル３とが分岐配管３３ｃにより連通接続してある。
【００４４】
ここで、ポンプ１４をオンにした状態で回動弁体２７をモータ２８で回動することで図５（ａ）のように第１の流出口３１ａにのみ水が流れる状態から、第１の流出口３１ａと第２の流出口３１ｂの両方に流量比を変えながら流れる状態（図５（ｂ）には流量比が等しい段階を示す）を経て、図５（ｃ）のように第２の流出口３１ｂのみに水が流れる状態というように、第１の流出口３１ａと第２の流出口３１ｂへの水の流れる流量比を変化させながら内くるぶし下用噴出ノズル２に設けた噴出口４、脹脛用噴出ノズル３の噴出口４に水量を変えながら順次水を供給することができるようになっている。
【００４５】
すなわち、図５（ａ）に示すように、内くるぶし下用噴出ノズル２のみに水が流れる状態（つまり内くるぶし下用噴出ノズル２の噴出口４から噴出する水量が最大となった状態）で回動弁体２７を図５（ｂ）のように回動していくと、図６のグラフに示すように次第に水量が減少していく（つまり流速が遅くなっていく）と同時に脹脛用噴出ノズル３から噴出を介してして次第に水量が増加して行くように（つまり次第に流速が速くなるように）制御され、更に、図５（ｃ）のように回動して内くるぶし下用噴出ノズル２から噴出する水量が最小水量又は噴出停止に至ると同時に脹脛用噴出ノズル３から噴出する水量が最大水量となる。この状態で回動弁体２７が更に回動を継続することで、図６のように最大水量に達した脹脛用噴出ノズル３から噴出する水量が次第に減少してゆくと同時に最小水量又は噴出停止となっている内くるぶし下用噴出ノズル２から再びゆっくりとした噴出が開始されて次第に水量が増えていくという動作となる。このような動作を交互に繰り返す（図６参照）。
【００４６】
このように、内くるぶし下用噴出ノズル２及び脹脛用噴出ノズル３から噴出する水量が、次第に増加していって最大水量に達するとその後次第に水量が減少していき、最小水量又は噴出停止に至るとその後再び噴出を開始して次第に水量が増加していくという動作を繰り返すように制御部１６により制御することで、内くるぶし下の「照海」というツボ、及び、脹脛の「承山」、「三陰交」というツボに始めは弱い水流が当たり、次第に強い水流が当たり、最大となると次第に弱くなっていくという、マッサージ師が指でツボをマッサージ師が手で揉み上げるような揉み上げ感を水流マッサージにより得ることができる。しかも、この場合、内くるぶし下用噴出ノズル２乃至脹脛用噴出ノズル３の一方からの噴出される水量が最大水量となり、その後次第に遅くなり始める際に、他方から噴出を介して次第に水量が増えていくように制御部１６により制御するので、内くるぶし下の水流マッサージの揉み上げの周期（水流の噴出の強弱の１サイクル）と、脹脛の水流マッサージの揉み上げの周期（水流の噴出の強弱の１サイクル）とが、図６のように周期をずらしながら交互に連続して行われ、マッサージの連続感が得られ、足の内くるぶし下にある「照海」というツボと脹脛にある「承山」、「三陰交」というツボをより効果的に連続的に水流マッサージして、足の疲れ解消及びむくみ低減を効果的に図ることができることになる。
【００４７】
なお、回動弁体２７を回動するためのモータ２８の回転数を２ｒｐｍ以上に設定すると、上記揉み上げの周期（水流の噴出の強弱の１サイクル）を３０秒以下に設定することが可能であり、この３０秒以下の揉み上げの周期は一般的なエアマッサージャーの揉み上げの周期（強弱の周期）と同じである。
【００４８】
なお、上記実施形態では一つの電動弁１５を介して内くるぶし下用噴出ノズル２及び脹脛用噴出ノズル３に水を供給して内くるぶし下用噴出ノズル２及び脹脛用噴出ノズル３から噴出する水量を変化させることで、揉み上げ感、連続感を現出するようにしたが、内くるぶし下用噴出ノズル２用の弁、脹脛用噴出ノズル３用の弁をそれぞれ別々に設けて各弁を別々に制御部１６により制御するようにしてもよく、この場合は、内くるぶし下用噴出ノズル２の噴出口４から水流を足の内くるぶし下に噴出して行う内くるぶし下の「照海」というツボの水流マッサージ、あるいは、脹脛用噴出ノズル３の噴出口４から水流を下肢の脹脛に噴出して行う脹脛にある「承山」、「三陰交」というツボの水流マッサージをそれぞれ選択的に行たり、あるいは同時に行ったりすることが可能となる。
【図面の簡単な説明】
【００４９】
【図１】本発明の一実施形態を示し、（ａ）は側断面図であり、（ｂ）は平面図である。
【図２】同上の他の実施形態を示し、（ａ）は側断面図であり、（ｂ）は平面図である。
【図３】同上の更に他の実施形態を示し、（ａ）は側断面図であり、（ｂ）は平面図である。
【図４】（ａ）は同上に用いる分岐ノズルの一例を示す断面図であり、（ｂ）は同上に用いる分岐ノズルの他例を示す断面図であり、（ｃ）は一方向噴出用ノズルを示す断面図である。
【図５】同上に用いる電動弁の一実施形態を示し、（ａ）（ｂ）（ｃ）はそれぞれ回動弁体の回動状態を示す説明図であり、（ｄ）は平面図である。
【図６】同上の内くるぶし下用噴出ノズルから噴出する水の噴出量と、脹脛用噴出ノズルから噴出する水の噴出量との関係を示すグラフである。
【図７】（ａ）は足の内くるぶし下に存在する「照海」というツボ位置を示す説明図であり、（ｂ）は下肢に存在する「承山」、「三陰交」というツボ位置を示す説明図である。
【符号の説明】
【００５０】
１  浴槽
２  内くるぶし下用噴出ノズル
３  脹脛用噴出ノズル
４  噴出口
５  分岐ノズル
Ｍ  入浴者
【図１】
0004482498.tif 000002
【図２】
0004482498.tif 000003
【図３】
0004482498.tif 000004
【図４】
0004482498.tif 000005
【図５】
0004482498.tif 000006
【図６】
0004482498.tif 000007
【図７】
0004482498.tif 000008